(57)【要約】  内視鏡検査用具を被覆するための装置が記載される。この装置は、用具が内視鏡の作業チャネルから近位方向に動く際に、用具を被覆するのに適している。また、被覆アセンブリを含み、内視鏡の近位ポートおよび内視鏡検査用具に接続できる。被覆アセンブリ内には折り畳まれて柔軟なスリーブが配置され、用具が作業チャネルから近位方向に収納される際に、前記スリーブがアセンブリ内から広げられる。被覆アセンブリは、被覆アセンブリ内を遠位方向に用具が移動することを許容し、近位方向には用具と被覆アセンブリが共に収容されるように設計されている。【選択図】図２
2008526345.tif 000002
【特許請求の範囲】
【請求項１】
内視鏡検査用具を被覆するための被覆アセンブリと内視鏡検査用具の組立体であって、
被覆アセンブリは内視鏡の近位ポートと内視鏡検査用具に取り付けられ、
被覆アセンブリはその内部に、折り重ねられたスリーブを有し、内視鏡検査用具を収容する場合は、該用具を被覆するようにアセンブリから柔軟なスリーブが送出され、
遠位方向に被覆アセンブリを通して内視鏡検査用具の移動を許容し、近位方向には被覆アセンブリと共に内視鏡検査用具の収納ができる、前記組立体。
【請求項２】
内視鏡検査用具に対する被覆アセンブリのアタッチメント手段をさらに有し、
該アタッチメント手段が、内視鏡検査用具のシャフトの周りに密接にフィットする一方通行のプラグであって、遠位方向へは殆ど抵抗なくシャフトを通過させるが、近位方向にはシャフトの通過を阻止するプラグである、請求項１記載の組立体。
【請求項３】
内視鏡の近位ポートに対する被覆アセンブリのアタッチメント手段をさらに有し、
アタッチメント手段が差し込み（bayonet）結合を含む、請求項２記載の組立体。
【請求項４】
被覆アセンブリが前方部分と後方スリーブディスペンサ部分を有し、
後部スリーブディスペンサ部分は、柔軟なスリーブを収納し、
前方部分に対して着脱可能にされている、請求項２記載の組立体。
【請求項５】
被覆アセンブリがガイドチューブを有し、
ガイドチューブが、プラグと前方部分の間に延長されており、
ガイドチューブの周りに配置され、広げることができる折り畳まれたスリーブを有する、請求項４記載の組立体。
【請求項６】
被覆アセンブリが弾力性ラグ（springy lugs）を有し、
弾力性ラグが、前方部分から、後方スリーブディスペンサ部分を開放可能にする、請求項５記載の組立体。
【請求項７】
一方通行のプラグが、後方スリーブディスペンサ部分と一体に形成されている、請求項４記載の組立体。
【請求項８】
内視鏡検査用具を近位方向に動かす場合にこの用具を被覆する装置であって、
被覆アセンブリ内を通して内視鏡検査用具の遠位方向の移動を許容し、内視鏡検査用具を近位方向に移動させる場合には内視鏡検査用具が被覆アセンブリと共に収納される、内視鏡検査用具に取り付ける被覆アセンブリと
作業チャネルから近位方向に内視鏡検査用具を収納する際に、内視鏡検査用具を被覆するために被覆アセンブリから広げることができる、前記アセンブリ内に折り畳まれて収容された柔軟なスリーブと、を有する、内視鏡検査用具の被覆装置。
【請求項９】
被覆アセンブリが、前方部分、柔軟なスリーブを内在された後方スリーブディスペンサ部分を含み、
前方部分が内視鏡の近位ポートと接続可能で、スリーブディスペンサ部分が前方部分と着脱可能である、請求項８記載の被覆装置。
【請求項１０】
後方スリーブディスペンサ部分が内視鏡検査用具に対する被覆アセンブリの接続手段を有し、
前記接続手段が、内視鏡検査用具のシャフト周囲に密接にフィットする一方通行プラグを含み、遠位方向にシャフトが移動する場合にはほとんど抵抗なくその移動を許容し、
近位方向に収納されるときは、プラグに対するシャフトの動きを阻止する、請求項９記載の被覆装置。
【請求項１１】
被覆アセンブリがプラグと前方部分の間に延長されたガイドチューブを有し、
ガイドチューブの周りに配置され、そこから広げることができる折り畳まれたスリーブを有する、請求項１０記載の被覆装置。
【請求項１２】
スリーブの近位端が後方スリーブディスペンサ部分に固定され、遠位端が前方部分に固定されている、請求項１１記載の被覆装置。
【請求項１３】
一方通行プラグが、後方スリーブディスペンサ部分と一体に形成されている、請求項１２記載の被覆装置。
【請求項１４】
被覆アセンブリが、前方部分から後方スリーブディスペンサ部分を分離できる弾力性ラグを有する、請求項１２記載の被覆装置。
【請求項１５】
前方部分が内視鏡の近位ポートに対する被覆アセンブリのアタッチメント手段を有し、
アタッチメント手段が差し込み（bayonet）結合を含む、請求項１２記載の被覆装置。
【請求項１６】
近位方向に移動させる際に内視鏡検査用具を被覆する方法であって、
内視鏡の近位ポートに対して被覆アセンブリの前方部分を接続すること（前記被覆アセンブリはその中に折り畳まれた柔軟なスリーブで、作業チャネルから収容する際に内視鏡検査用具を被覆するためアセンブリから広げられるスリーブを有し）、
内視鏡検査用具のシャフトの上に、被覆アセンブリの後方スリーブディスペンサ部分を固定すること、
前方部分から前記後方部分を脱離させること、
近位方向に動かすとき被覆アセンブリの後方部分と共に内視鏡検査用具を収納すること、を含む内視鏡検査用具の被覆方法。
【請求項１７】
近位ポートに対して被覆アセンブリを接続することは、差し込み結合によって行う、請求項１６記載の方法。
【請求項１８】
内視鏡検査用具のシャフトの上に、被覆アセンブリの後方スリーブディスペンサ部分を固定することが、一方通行のプラグを使用することであり、
該プラグは、遠位方向に対する動きには殆ど抵抗ないが、近位方向に対する動きに関しては阻止する、請求項１６記載の方法。
【請求項１９】
前方部分から前記後方部分を脱離させることは、弾力性ラグを押圧することにより行われる、請求項１６記載の方法。
【請求項２０】
折り畳まれた柔軟なスリーブがガイドチューブの周りに配置され、該ガイドチューブがプラグと前方部分の間に延長され、
ガイドチューブに折り畳まれたスリーブを広げること、を含む請求項１６記載の方法。
【発明の詳細な説明】
【技術分野】
【０００１】
本発明は、内視鏡検査に係わり、特に体内から内視鏡検査用具を引き出す間に該用具をカバーするスリーブに関する。
【背景技術】
【０００２】
従来より、内視鏡をカバーする使い捨てタイプのスリーブ（鞘（sheath）のようなもの）が公知である。結腸鏡（長く自由に曲がるファイバースコープ）のような柔軟な内視鏡は、清浄化および消毒が困難であり、患者と患者またはスタッフとの間の院内感染の問題を引き起こすことが知られている。これらの問題は、内視鏡を単回使用のスリーブでカバーし、使用後はこれを捨てることにより、部分的には回避可能である。
【０００３】
内視鏡は、一般に、本体外側の近位のポートから内視鏡の遠位端における遠位のポートまで連なる作業チャネルを有する。内視鏡の遠位端が体内に挿入される時、とりわけ、生検のような手術を行うために内視鏡の遠位端を通して手術用具を（勿論内視鏡検査用具も）使用するために、作業チャネルが使用される。この方法で使用される用具は患者の体内で生物学的に汚染される。従って、用具を体外へ引き出すと、作業チャネルの内部に汚染が広がり、内視鏡の近位ポートやオペレーターの手が汚れることもある。
【発明の開示】
【発明が解決しようとする課題】
【０００４】
内視鏡を前記汚染から保護する作業チャネルに関して、鞘を使用する方法がシルバースタイン、シドール（米国特許４６４６７２２、同４７４１３２６）らにより提案され、ここに参照として引用する。これらの方法は、内視鏡の作業チャネル外部を使い捨てにすること（米国特許４６４６７２２）、または、内視鏡の作業チャネル内部を使い捨てライナーにすることにより、内視鏡の汚染を防止することができる。しかし、これらの方法には、作業チャネルの近位端から手術用具が引き込まれることによる内視鏡の近位端の回りの汚染の可能性については言及されていない。
【課題を解決するための手段】
【０００５】
本発明の具体例では、オペレータの手を清潔に保つための適当な手段を有する内視鏡を採用して、内視鏡検査用具を鞘に収めること（以下、被覆（sheathing）という）により使用する方法および装置を提供する。本発明は、患者の身体から除くときに使用するものである。このように鞘に収めることにより、オペレータの手、内視鏡のハンドル、そのほか患者の体外等への接触から、ボディ内の内視鏡検査用具に付着するかもしれない汚染物を防止する。その結果、患者間および患者とスタッフとの院内感染のおそれは減少し、内視鏡および補助具を使用する間の清浄化、消毒作業が単純化される。
【０００６】
本発明の具体例において、患者の体外でスリーブディスペンサーを含む被覆アセンブリは、内視鏡の作業チャネルの近位ポートに連結される。柔軟なスリーブは前記ディスペンサーの一端に固定され、該スリーブの残りの部分は該ディスペンサーの周辺に集約、保持される。細長い内視鏡検査用具は、ディスペンサーと作業チャネルを通って、用具の遠位端が内視鏡の遠位端から突き出ている。用具のシャフトがディスペンサーと内視鏡の近位のポートを通過する間、スリーブがディスペンサーに集約された状態に維持される。用具が引き込まれても、スリーブの近位端は用具のシャフトに結合し、用具が引き出されると、スリーブがディスペンサーから用具のシャフトをカバーするために遠位端を含むように広がる。用具上の全ての汚染はこのようにスリーブの中に維持され、スリーブの外側は清潔を維持し、汚染の広がることなく、自由に操作することができる。
【０００７】
本発明の具体例では、特に（限定するものではないが）内視鏡の使用に適し、アイゼンフェルド（WO2004/016299-PCT/IL03/000661）らの述べる内視鏡の外側表面をカバーする被覆システム、或いは内視鏡に提供される他の公知の被覆システムを、参考としてここに引用する。そのような被覆システムは、使い捨ての作業チャネル、または内視鏡の作業チャネルの内部に固定される使い捨ての内部スリーブを含み、汚染を防止している。内視鏡の鞘は、内視鏡が患者の体内にあるときは内視鏡をカバーしつつソートされ、内視鏡を清潔に維持する。その後シースが取り除かれて、内視鏡は中間消毒処理が行われる。
【０００８】
アイゼンフェルド（米国特許６９０８４２８号）は、内視鏡検査用具を被覆するための器具について開示しており、ここに参照として引用する。
【０００９】
前記特許に記載される器具に使用する被覆技術は、作業チャネルから引き出された後に、内視鏡の外側本体を覆う為に用いられる。手術中に必要であれば、用具はスリーブの遠位端で作業チャネル内に進められ、その後スリーブ内に収容される。手術が終了すると、用具とスリーブは共に処理される。
【００１０】
上述の特許の具体例に記載されることを参照すれば、内視鏡を被覆するための器具は、以下を含む。内視鏡検査用具が被覆アセンブリを通して作業チャネル内に前進できるように、内視鏡作業チャネルの近位ポートと結合するポートアダプターとスリーブディスペンサーを含む被覆アセンブリと：スリーブディスペンサーが固定される遠位端と、作業チャネルから収容された内視鏡検査用具と結合するのに適した近位端とを有し、前記ディスペンサーから送出される柔軟なスリーブによって、内視鏡検査用具を近位方向に被覆することができる。
【００１１】
さらに実施例において、用具は患者の体内で生体物質を採取するために作業チャネルを通して伸びるのに適し、内視鏡検査用具が作業チャネルから回収された後、内視鏡検査用具がスリーブで被覆されたままであり、内視鏡検査用具が容器内に生体物質を入れる事ができるように、スリーブディスペンサーは容器と連結されている。
【００１２】
前記特許の被覆アセンブリは、分離可能で、単独のアイテムであり、内視鏡から撤収する時に内視鏡検査用具を被覆するために用いられるものである。このアセンブリは、使用前に内視鏡検査用具に接続され、作業チャネル内に用具を挿入する前に内視鏡の部分を確実に保持することができる。また、このアセンブリは、ポートに留まり、用具がアセンブリ内を伸びている間はスリーブが束ねられた状態を維持することができ、用具と連動し、用具がアセンブリから収容されるときは展開される、ように設計されている。
【００１３】
作業チャネル内に内視鏡検査用具が伸ばされる前に、内視鏡において分離アイテムは確実に保持される必要があるために、実際この解決法は簡単ではない。
【００１４】
さらに、被覆アセンブリは、スリーブが展開されるとき被覆アセンブリが自由であり、ディスペンサーは内視鏡の近位部と結合を維持することができるように設計されている。この特徴的設計は、医師の手により用具を手動で把握することを不便にする。さらに、スリーブだけを送出することは安定ではなく、作業チャネルから用具を収容することを複雑にする。
【００１５】
本発明は、被覆システムの利点を維持しつつ、前記問題点を解決するものである。
【００１６】
本発明の一つの目的は、内視鏡検査用具と被覆アセンブリの組立体を提供することであり、この組立体は、完全な、独立した、専用アイテムで、使用する者にとって簡単便利である。
【００１７】
また別の目的は、新規な被覆アセンブリであって、内視鏡から用具を撤収する間に、医師の手により内視鏡検査用具が簡便に把握することができるアセンブリを提供することである。
【００１８】
さらに、用具の収容の間にスリーブの安定した、信頼できる送出を保証することができる被覆アセンブリを提供することをも目的とする。
【００１９】
本発明はまた、使い捨てスリーブによる新規な被覆アセンブリと内視鏡検査用具の新規な被覆方法に関する。
【発明を実施するための最良の形態】
【００２０】
本発明の利点および効果の理解を容易にするために、添付図面を参照としてその具体例を説明する。
【００２１】
図１は、本発明の一実施例を示す図であり、全体１０を表している。この例は手術用具１２が被覆アセンブリ１４に組み合わされている。手術用具は、金属またはプラスチック材料から成る長いシャフト１６を有する。シャフトの後端は親指を入れる環１８を有し、手術をするための作業要素２０を遠位端に有する。図１に示される作業要素は生検鉗子であり、患者の体内で生体サンプルを採取することができる。これは単に一例にすぎず、ポリペクトミースネア（ポリープの上からかけて引き締め，その結果，ポリープの茎を切除できるよう工夫されたワイヤの輪）などの手術用に使用されるものであっても良い。
【００２２】
被覆アセンブリの構造はより詳細には図２、２ａ、２ｂに示されている。被覆アセンブリは以下に述べるような機能を有するいくつかのパーツよりなる。被覆アセンブリは後方スリーブディスペンサー部２２、着脱可能な接続部である前方部分２４からなる。前方部分が内視鏡の近位ポートと結合し、後方部分は、手術用具を保護するスリーブ内に送出するためのものである。被覆アセンブリは硬質プラスチック材料（例えば、ＰＶＣ、ポリカーボネート、ポリスチレン、ナイロン６６など）から製造されることが好ましい。
【００２３】
スリーブディスペンサー部は近位先端２６を有し、手術用具のシャフト１６がそこを通過する。近位先端はプラグ部２８を有し、テーパ壁面３０がシャフトの回りに密接にフィットする開口を画定する。プラグは、シャフトが開口を通過することを許容し、前進（遠位）方向、具体的には患者の体内に進行することに対して殆ど抵抗が無いような寸法、構成である。同時に、プラグはシャフトが後進（近位）方向への進行を阻止する。図２においては、矢印Ｆが前進方向を示している。用具が後進しようとするとテーパ壁によりシャフトがプラグに固定され、以下の図に示すように、ディスペンサー部分が手術用具とともに同時に引っ張られる。また、当業者にとって明らかではあるが、その他のタイプの一方通行（one-way）のプラグを使用することもできる。
【００２４】
プラグの効果によって、手術を行う前に被覆アセンブリは手術用具と結合される。その組立体は、独立で、いつでも使用でき、単独のアイテムを構成する。
【００２５】
被覆アセンブリの縦軸Ｘ−Ｘと同軸に伸びるガイドチューブ３２がある。このチューブは、手術用具のシャフトがプラグの開口を通って被覆アセンブリ内を進行する際のガイドとなる。また、チューブは、プラグと前方部分２４の間のディスペンサー部分に伸びている。ガイドチューブの近位端には円環の溝３４が形成され、後方部分の近位先端で対応する円環突起部３５とがスナップ係合している。この様に構成されることで、チューブはスリーブディスペンサー部２６内に安定に固定される。ガイドチューブの遠位端は頸部３６が形成される。
【００２６】
被覆アセンブリは柔軟なスリーブ４０を有し、該スリーブは、保持リング４２と前方部分２４の間のディスペンサー部内に折りたたまれている。保護スリーブは柔軟で、生体適合性の良い（例えばポリアミドなどの）プラスチックで作られ、好ましくはその厚みは約２０ミクロンである。保持リングは図２に示されるようにディスペンサー部内に位置し、円環の溝４４によってディスペンサー部の近位先端で対応する円環突起部４５とスナップ係合している。保持リングは、スリーブの近位端が固定されるように、ガイドチューブの周りに密接にフィットしている。
【００２７】
被覆アセンブリの前方部分２４は、スカート部４６とキャップ部４８を含み、両者間の環状のギャップを有するスカートの周りにキャップが結合している。キャップ部４８はスカート部先端に密接にフィットし、スリーブの遠位端がその間に固定されている。被覆アセンブリの前方部分は、後方部分のもっとも先端部にある弾力性ラグ５０によって後方部分に着脱可能に結合される。図２ａではそのようなラグが示され、ラグはスリーブディスペンサー部内の切込み部５２、５４の部分の間に形成されている。狭い領域５６により切込み部が分割され、ラグ上のラフ表面の領域５８に側方からの圧力が加えられたとき、ラグが弾性変形（領域５６を軸とする旋回）することを許容する。図２、２ｂには、前方部分２４の環状の壁面に設けられた円環の溝を固定するように突起５１が各ラグの遠位端に設けられていることが示されている。この突起によって、被覆アセンブリの後方部分と前方部分とがスナップ係合を形成して結合されている。この結合は、ラグに側方からの圧力が加えられたときに解消する。
【００２８】
螺旋状の溝６０が前方部分の内表面に沿って形成されている。この溝は差し込み（bayonet）結合の一部に形成され、図３〜１０を参照すればより明らかになるが、内視鏡（例えば結腸鏡）などのハンドル６４に形成されたポート６２に被覆アセンブリを結合する。図２ａに示されるようにラフ表面６６が後方部分２２の外側表面に形成されている。このラフ表面は信頼できるグリップを提供し、操作時における被覆アセンブリの便利な把持性を保証する。
【００２９】
図２は、使用前の被覆アセンブリと手術用具の組立体を示している。被覆アセンブリはシャフトの最先端部分に位置し、作業要素２０は内視鏡の中に挿入されるときに被覆アセンブリから突き出される。
【００３０】
図３を参照すると、被覆アセンブリと手術用具の組立体は近位ポート６２と接近させ、ポートと直接または専用コネクター６８を通して固定される。
【００３１】
典型的には、ハンドルは精密な制御に便利なホイール７０、映像シグナル、吸引力、ガス圧、灌流水などの供給の制御ボタン７２を有する。図示されてはいないがハンドルには、吸引力、ガス圧、灌流水などを作業チャネルに供給するポートを含むことができる。手術用具が作業チャネルに挿入されていないときに、これが要求される。
【００３２】
内視鏡は挿入チューブ７４を有し、それは使い捨てのシース（図示せず）により被覆されていてもよい。挿入チューブが作業チャネル７６に沿って伸びると、手術用具が挿入される。作業チャネルは、内部が使い捨て作業チャネルまたは、所謂マルチルーメン（multilumen）チューブによって被覆されていることが好ましい。それによって内視鏡内部の汚染を防ぐことができるからである。そのような被覆は例えばアイゼンフィールド（ＷＯ２００４／０１６２９９）に述べられており、ここに参照として引用する。なお、簡略化のために図１にはそれらが示されてはいないことに留意してほしい。
【００３３】
さらにあるいは代替として、付加的ポート（図示していない）をハンドルに設けることもでき、内視鏡内または内視鏡に平行して付加的チャネルを結合させることもできる。
【００３４】
少なくとも手術用具の作業要素は、細胞や、患者の体内の生体物質と接触するので、使用中に用具が汚染される。その手術用具１２から、ハンドル６４、術者の手、患者の体外の他の部分に汚染の広がりを防止するために、図４〜６には、ポート６２の上に被覆アセンブリが固定されることが示されている。被覆アセンブリ１４はコネクタ６８によってポート６２に結合され、ガイドチューブおよびコネクタを通る通路が作業チャネル７６に繋がっている。典型的には、被覆アセンブリを捻ることにより被覆アセンブリの前方部分に形成された螺旋状の溝が差し込み結合のピンと螺合し、被覆アセンブリがポートに固定される。
【００３５】
図４は、被覆アセンブリがポートに固定され、手術用具１２が作業チャネル７６を通って挿入される状態を示している。図５をみると、用具が矢印７８に示す方向に作業チャネルに沿って前進し、作業端２０が通常の使用によって内視鏡の遠位端より突出するまで進められている。被覆アセンブリ１４は使い捨て可能な作業チャネルと結合させることもできる。
【００３６】
図６は、本発明の被覆アセンブリ１４を通して手術用具１２を収容開始する例を示した図である。収容開始に当たり、作業者は始めに矢印８０、８２で示す側方からの圧力をラグ５０に付加し、前方部分の円環の溝からラグを外す。次いで、後方部分を握り、矢印８４で示す方向にアセンブリを引っ張る。これによって、アセンブリの後方部分は前方部分から外れる。後方部分２２と用具は同時に移動し、分離操作は簡易、簡便にできる。
【００３７】
図７は分離の初期段階を示し、図８は後方部分が前方部分２４から充分に離れ、用具の作業要素２０が前方部分２４に接近していることを示す図である。
【００３８】
用具が近位方向で収容され、プラグ部分２８はシャフト１６をつかむので、スリーブ４０の近位端が固定され、用具が後方部分内に同時に収容されつつあることが容易に認識できる。
【００３９】
スリーブの遠位端が前方部分２４に固定されているため、スリーブは次第に伸ばされ、用具のシャフト１６を被覆する。典型的には、用具が収容されている間に、プラグ部分がシャフト１６の最も近位部（用具がアセンブリ１４の中に進行してプラグ部に達した所）でシャフトと結合されている。従って、用具１２が収納されると、作業チャネル７６内に進行したシャフト１６の全長は、作業要素２０を含めて、スリーブによって被覆される。この状態が図９に示されている。ガイドチューブの周りに残る延長可能な部分を有するので、スリーブは均等に、確実に伸ばされる。
【００４０】
もし、用具（の全体または一部）が収容された後、スリーブ４０から用具を取り除くことなく再度作業チャネル内に進めること、その後再び収容することもできる。この場合において、近位方向にディスペンサーが伸ばされても、スリーブは、既に作業チャネル内に挿入された（従って汚染された）シャフト全体を被覆している。
【００４１】
一旦、内視鏡から用具１２が完全に収容され（同時にスリーブ４０によって被覆され）ると、被覆アセンブリの前方部分は図１０に示すようにポート６２から分離され、用具とともに除かれる。
【００４２】
最初に使用された後は、同じ患者に使用する場合に限って、被覆アセンブリを再度使用することができることに留意すべきである。使用後のアセンブリおよび用具は廃棄される。
【００４３】
詳細に示してはいないが、被覆アセンブリと手術用具の組立体は、アイゼンフェルド（米国特許６９０８４２８号）により開示されるサンプル容器に、作業要素から生検サンプルを移すのにも適している。この実施例によれば、用具１２は、図１０に示されるように内視鏡から完全に収容され、被覆アセンブリ１４の後方部分がポート６２から分離することができる。その後、ディスペンサー部は、前方部分と結合されるのと同様にして、収集容器（図示しない）の口部に結合される。この時、作業要素２０は、例えば患者の体内の生検サンプルを保持する鉗子を構成要素とし、用具１２の操作者は要素２０を容器の頸部に進めて、容器内に生検を入れる。こうして、作業要素２０とサンプルは、スリーブ４０の外側の環境と接触することなく容器内まで送られる。
【００４４】
本発明は特に胃腸管内に挿入する柔軟な内視鏡の使用に適し、結腸鏡、胃鏡（胃の内表面を調べる内視鏡）などを使用した比較的大きな作業チャネルを有するものにも好適である。また、本発明の原理は、内視鏡（硬い場合、柔軟な場合ともに）、カテーテルなどの他の体内で使用される医療用プローブや、他の治療や診断に用いられるタイプの管腔内に挿入される用具に適用することができる。
【００４５】
上記具体例は一例であって、本発明はそこに記載されている具体例に限定されるものではない。むしろ、本発明の範囲には、ここに示される様々な特徴の組立体や下位の組立体などや、前記内容に接する当業者において成し得る、従来技術が開示していない変化および修正もまた含まれる。
【００４６】
例えば本発明は、硬質または柔軟な内視鏡に採用される内視鏡検査用具の使用に好適である。
【００４７】
図２に示されるような後方部分にスリーブを束ねるように保持する代わりに、前方部分内に配置して、ポート上に確保する方法を採用できる。この場合、近位方向に後方部分を引張り、前方部分からスリーブを供給して用具を被覆することとなる。
【００４８】
さらに、後方部分を前方部分に着脱可能に結合させる弾力性ラグの代わりに、スナップ結合などの公知の方法を採用することができる。
【００４９】
さらにまた、ガイドチューブは近位ポートの中に突き出すように、その前方部分を伸ばすこともできる。この場合の効果は近位ポートの汚染を防止することができることである。
【図面の簡単な説明】
【００５０】
【図１】図１は、本発明の実施例による内視鏡検査用具と被覆アセンブリの組立体を示す図である。
【図２】図２は図１の組立体の拡大断面図である。また、図２ａは図２の被覆アセンブリの側面図であり、図２ｂは図２の被覆アセンブリの拡大断面図である。
【図３】図３は、内視鏡の近位ポートに被覆アセンブリを接続する第一段階を示す図である。
【図４】図４は、内視鏡の近位ポートに被覆アセンブリを固定した状態を示す図である。
【図５】図５は、内視鏡の近位ポートを通して、内視鏡検査用具を伸ばした第一段階を示す図である。
【図６】図６は、被覆アセンブリの前方部分から後方部分を切り離す直前の状態を示す図である。
【図７】図７は、内視鏡から内視鏡検査用具を取り外す第一段階を示す図である。
【図８】図８は、被覆アセンブリの前方部分から後方部分を取り外し、拡大した図である。
【図９】図９は、内視鏡から内視鏡検査用具の取り外しの最終段階を示す図である。
【図１０】図１０は、内視鏡の近位ポートから被覆アセンブリの前方部分を外した状態を示す図である。
【図１】
2008526345.tif 000003
【図２】
2008526345.tif 000004
【図２ａ】
2008526345.tif 000005
【図２ｂ】
2008526345.tif 000006
【図３】
2008526345.tif 000007
【図４】
2008526345.tif 000008
【図５】
2008526345.tif 000009
【図６】
2008526345.tif 000010
【図７】
2008526345.tif 000011
【図８】
2008526345.tif 000012
【図９】
2008526345.tif 000013
【図１０】
2008526345.tif 000014
【国際調査報告】
2008526345.tif 000015
2008526345.tif 000016
2008526345.tif 000017
2008526345.tif 000018